(57)【特許請求の範囲】
【請求項１】
無線通信装置が通信を行っている通信中基地局、及び、前記通信中基地局に隣接する隣接基地局それぞれの信号対干渉雑音比を測定し、
前記通信中基地局及び前記隣接基地局それぞれの、前回測定した前記信号対干渉雑音比からの変化量を算出し、
前記通信中基地局における信号対干渉雑音比の変化量と前記隣接基地局における信号対干渉雑音比の変化量の大小関係に基づいて、セルサーチを行うセルサーチ周期を決定する、
ことを特徴とするセルサーチ周期決定方法。
【請求項２】
基地局と無線通信を行う無線通信装置において、
通信を行っている通信中基地局、及び、前記通信中基地局に隣接する隣接基地局それぞれの信号対干渉雑音比を測定する測定部と、
前記通信中基地局及び前記隣接基地局それぞれの、前回測定した前記信号対干渉雑音比からの変化量を算出し、前記算出した前記通信中基地局における信号対干渉雑音比の変化量と前記隣接基地局における信号対干渉雑音比の変化量の大小関係に基づいてセルサーチを行うセルサーチ周期を決定するセルサーチ周期決定部と、
を有することを特徴とする無線通信装置。
【請求項３】
前記無線通信装置の移動速度を計測する移動速度計測部を有し、
前記セルサーチ周期決定部は、前記通信中基地局における信号対干渉雑音比の変化量と前記隣接基地局における信号対干渉雑音比の変化量の大小関係に基づく条件を、前記移動速度計測部により計測された前記無線通信装置の移動速度に応じて変化させて、前記セルサーチ周期を決定する、
ことを特徴とする請求項２に記載の無線通信装置。
【請求項４】
前記無線通信装置の位置情報を計測する位置情報計測部を有し、
前記セルサーチ周期決定部は、前記通信中基地局における信号対干渉雑音比の変化量と前記隣接基地局における信号対干渉雑音比の変化量の大小関係に基づく条件を、前記無線通信装置の位置情報に応じて変化させて、前記セルサーチ周期を決定する、
ことを特徴とする請求項２に記載の無線通信装置。
【請求項５】
前記セルサーチ周期決定部は、前記通信中基地局における信号対干渉雑音比の変化量と前記隣接基地局における信号対干渉雑音比の変化量の大小関係に基づく条件を、前回測定時からの経過時間に応じて変化させて、前記セルサーチ周期を決定する、
ことを特徴とする請求項２に記載の無線通信装置。
【請求項６】
複数の基地局と、複数の無線通信装置を有する無線通信システムにおいて、
前記複数の基地局は、所定の前記無線通信装置が通信を行っている通信中基地局、及び、前記通信中基地局に隣接する隣接基地局を含み、
所定の前記無線通信装置は、請求項２乃至請求項５のいずれか１項に記載の無線通信装置である、
ことを特徴とする無線通信システム。
【発明の詳細な説明】
【技術分野】
【０００１】
この出願で言及する実施例は、セルサーチ周期決定方法、無線通信装置及び無線通信システムに関する。
【背景技術】
【０００２】
近年、例えば、ＷｉＭＡＸ（Worldwide Interoperability for Microwave Access）のような無線通信技術の規格を適用した移動無線通信システムが実用化され、さらに、速度や伝達距離を向上させた、或いは、さらなる高速移動体通信用の規格も策定されている。
【０００３】
ＷｉＭＡＸのような移動無線通信システムにおいて、無線通信装置（端末）は、ある特定の１台の基地局と通信を行う。このとき、端末自身の移動に伴って、通信中の基地局の受信信号強度（ＲＳＳＩ：Receive Signal Strength Indication）／受信信号品質（ＣＩＮＲ）の低下を検出した場合、端末は、基地局の切り替えを行う。ここで、ＣＩＮＲは、信号対干渉雑音比（或いは、搬送波対干渉雑音比：Carrier to Interference and Noise Ratio）とも呼ばれる。
【０００４】
すなわち、端末自身の移動に伴って、通信中の基地局のＲＳＳＩ／ＣＩＮＲの低下を検出した場合、端末は、通信の状態を維持しながら通信先の基地局をＲＳＳＩ／ＣＩＮＲが高い基地局へと切り替える。このように、端末が通信の状態を維持しながら通信先の基地局を切り替える動作をハンドオーバーと呼ぶ。
【０００５】
端末では、自身の移動に伴うハンドオーバーを円滑に行うために、通信を行っている基地局のＲＳＳＩ／ＣＩＮＲが通信を行えなくなるまで低下する前に、予め周辺の基地局のＲＳＳＩ／ＣＩＮＲの測定を行っておく必要がある。
【０００６】
ここで、本明細書では、通信を行っている基地局を通信中基地局（ＳＢＳ：Serving Base Station）と称し、周辺の基地局を隣接基地局（ＮＢＳ：Neighbor Base Station）と称する。
【０００７】
上述した端末がＳＢＳとの通信を行いながら、ＮＢＳのＲＳＳＩ／ＣＩＮＲの測定を行う動作を、セルサーチ（セル監視、スキャン）と呼ぶが、このセルサーチを行うタイミングを決定する一般的な方法としては、例えば、次の２つの方法が知られている。
【０００８】
すなわち、第１の方法は、ＳＢＳのＲＳＳＩ／ＣＩＮＲが閾値以下に低下した時点でセルサーチを行うものであり、第２の方法は、ＳＢＳのＲＳＳＩ／ＣＩＮＲに関わらず、周期的にセルサーチを行うものである。
【０００９】
ところで、従来、セルサーチ周期決定方法、無線通信装置及び無線通信システムとしては、様々なものが提案されている。
【先行技術文献】
【特許文献】
【００１０】
【特許文献１】特開２００４−２２１６７１号公報
【特許文献２】特開２００９−０７１３８６号公報
【特許文献３】特開２００１−１６９３３９号公報
【特許文献４】特開２００６−３０３７３３号公報
【発明の概要】
【発明が解決しようとする課題】
【００１１】
前述したように、セルサーチを行うタイミングの決定方法としては、ＳＢＳのＲＳＳＩ／ＣＩＮＲが閾値以下に低下した時点でセルサーチを行う第１の方法と、ＳＢＳのＲＳＳＩ／ＣＩＮＲに関わらず周期的にセルサーチを行う第２の方法が知られている。
【００１２】
しかしながら、これら第１及び第２の方法では、必要なタイミングでセルサーチが行われずに通信のロスが発生して通信速度が低下し、或いは、冗長なセルサーチを行うことにより消費電力の増大及び通信速度の低下を招くことになる。
【課題を解決するための手段】
【００１３】
一実施形態のセルサーチ周期決定方法は、無線通信装置が通信を行っている通信中基地局、及び、前記通信中基地局に隣接する隣接基地局それぞれの信号対干渉雑音比を測定する。
【００１４】
さらに、前記通信中基地局及び前記隣接基地局それぞれの、前回測定した前記信号対干渉雑音比からの変化量を算出する。そして、前記通信中基地局における信号対干渉雑音比の変化量と前記隣接基地局における信号対干渉雑音比の変化量の大小関係に基づいて、セルサーチを行うセルサーチ周期を決定する。
【発明の効果】
【００１５】
開示のセルサーチ周期決定方法、無線通信装置及び無線通信システムは、通信速度を向上させると共に、消費電力を低減させることができるという効果を奏する。
【図面の簡単な説明】
【００１６】
【図１】図１は、無線通信システムの全体構成の一例を示す図である。
【図２】図２は、ハンドオーバー候補の受信レベルが高い場合の例を示す図である。
【図３】図３は、ハンドオーバー候補の受信レベルが低い場合の例を示す図である。
【図４】図４は、第１実施例のセルサーチ周期決定方法におけるセルサーチ（スキャン）周期決定処理の一例を説明するためのフローチャートである。
【図５】図５は、第１実施例のセルサーチ周期決定方法が適用される無線通信装置（端末）の一例を示すブロック図である。
【図６】図６は、第１実施例のセルサーチ周期決定方法におけるセルサーチ周期決定テーブルの一例を説明するための図である。
【図７】図７は、第１実施例のセルサーチ周期決定方法におけるセルサーチ周期決定部の処理の一例を説明するためのフローチャートである。
【図８】図８は、第２及び第３実施例のセルサーチ周期決定方法におけるセルサーチ処理の一例を説明するためのフローチャートである。
【図９】図９は、第２及び第３実施例のセルサーチ周期決定方法が適用される端末の一例を示すブロック図である。
【図１０】図１０は、第２及び第４実施例のセルサーチ周期決定方法におけるセルサーチ周期決定テーブルの一例を説明するための図である。
【図１１】図１１は、第２実施例のセルサーチ周期決定方法におけるセルサーチ周期決定部の処理の一例を説明するためのフローチャートである。
【図１２】図１２は、第３，第５及び第６実施例のセルサーチ周期決定方法におけるセルサーチ周期決定テーブルの一例を説明するための図である。
【図１３】図１３は、第３実施例のセルサーチ周期決定方法におけるセルサーチ周期決定部の処理の一例を説明するためのフローチャートである。
【図１４】図１４は、第４及び第５実施例のセルサーチ周期決定方法におけるセルサーチ周期決定処理の一例を説明するためのフローチャートである。
【図１５】図１５は、第４及び第５実施例のセルサーチ周期決定方法が適用される端末の一例を示すブロック図である。
【図１６】図１６は、第４実施例のセルサーチ周期決定方法におけるセルサーチ周期決定部の処理の一例を説明するためのフローチャートである。
【図１７】図１７は、第５実施例のセルサーチ周期決定方法におけるセルサーチ周期決定部の処理の一例を説明するためのフローチャートである。
【図１８】図１８は、第６実施例のセルサーチ周期決定方法におけるセルサーチ周期決定部の処理の一例を説明するためのフローチャートである。
【図１９】図１９は、通信中基地局（ＳＢＳ：Serving Base Station）のＣＩＮＲが高い場合を示す図である。
【図２０】図２０は、ＳＢＳのＣＩＮＲが低い場合を示す図である。
【図２１】図２１は、ＳＢＳのＣＩＮＲ変化量が大きい場合を示す図である。
【図２２】図２２は、ＳＢＳのＣＩＮＲ変化量が小さい場合を示す図である。
【図２３】図２３は、端末の移動速度が速い場合を示す図である。
【図２４】図２４は、端末の移動速度が遅い場合を示す図である。
【図２５】図２５は、端末の現在位置がセルエッジに近い場合を示す図である。
【図２６】図２６は、端末の現在位置が基地局に近い場合を示す図である。
【図２７】図２７は、前回測定時からの経過時間が長い場合を示す図である。
【図２８】図２８は、前回測定時からの経過時間が短い場合を示す図である。
【発明を実施するための形態】
【００１７】
まず、セルサーチ周期決定方法、無線通信装置及び無線通信システムの実施例を詳述する前に、無線通信システムの全体構成、並びに、セルサーチ周期の決定における問題点を、図１〜図３を参照して説明する。
【００１８】
なお、本明細書では、通信を行っている基地局を通信中基地局（ＳＢＳ：Serving Base Station）と称し、周辺の基地局を隣接基地局（ＮＢＳ：Neighbor Base Station）と称するのは、前述した通りである。
【００１９】
図１は、無線通信システムの全体構成の一例を示す図であり、例えば、ＷｉＭＡＸのような無線通信技術の規格を適用した移動無線通信システムの例を示す。図１に示されるように、無線通信システムは、複数の基地局Ａ，Ｂ、及び、複数の無線通信装置（端末）Ｃ〜Ｇを含み、これら各基地局及び端末は、無線ネットワーク（エア等）ＲＮを介して接続される。
【００２０】
なお、図１において、無線通信システムは、２つの基地局Ａ，Ｂ、及び、５つの端末Ｃ〜Ｇを含むように描かれているが、実際には、遥かに多くの基地局及び端末を含んでいるのはいうまでもない。
【００２１】
ところで、ＷｉＭＡＸのような移動無線通信システムにおいて、各端末Ｃ〜Ｇは、それぞれ特定の１台の基地局Ａ，Ｂと通信を行う。このとき、端末自身の移動に伴って、通信中の基地局のＲＳＳＩ／ＣＩＮＲの低下を検出した場合、端末は、通信の状態を維持しながら通信先の基地局をＲＳＳＩ／ＣＩＮＲが高い基地局へと切り替えるハンドオーバーを行う。
【００２２】
端末は、自身の移動に伴うハンドオーバーを円滑に行うために、ＳＢＳとの通信を行いながら、ＮＢＳのＲＳＳＩ／ＣＩＮＲを測定するセルサーチを行う。このセルサーチを行うタイミングとしては、前述したように、主として次の２つの方法により決定される。
【００２３】
すなわち、第１の方法は、ＳＢＳのＲＳＳＩ／ＣＩＮＲが閾値以下に低下した時点でセルサーチを行うものであり、第２の方法は、ＳＢＳのＲＳＳＩ／ＣＩＮＲに関わらず、周期的にセルサーチを行うものである。
【００２４】
しかしながら、上述の第１及び第２の方法では、必要なタイミングでセルサーチが行われないことにより通信のロスが発生して通信速度が低下し、或いは、冗長なセルサーチを行うことにより消費電力の増大及び通信速度の低下を招くことになる。
【００２５】
さらに、例えば、通信を行っている基地局の受信電界レベルに応じて、セルサーチを行う周期を制御する手法も考えられるが、その場合には、次のような問題がある。図２は、ハンドオーバー候補の受信レベルが高い場合の例を示す図であり、図３は、ハンドオーバー候補の受信レベルが低い場合の例を示す図である。
【００２６】
図２及び図３において、参照符号ＡＲｓは、ＳＢＳ（通信中基地局）の通信エリア（サービスエリア）を示し、ＡＲｎは、ＮＢＳ（隣接基地局）の通信エリアを示し、そして、ＴＲは、端末（無線通信装置）を示す。
【００２７】
すなわち、図２は、ＳＢＳの受信電界レベルが高い状態で、ハンドオーバー候補であるＮＢＳの受信電界レベルが高い場合を示し、図３は、ＳＢＳの受信電界レベルが高い状態で、ＮＢＳの受信電界レベルが低い場合を示す。
【００２８】
図２及び図３の場合、端末ＴＲと通信中基地局ＳＢＳの距離は等しくて短く、ＳＢＳの受信電界レベルは、両方とも高い状態になっている。さらに、図２の場合、ＴＲは、隣接基地局ＮＢＳの通信エリアＡＲｎの内側でＮＢＳの受信電界レベルも高い状態になっている。これに対して、図３の場合、ＴＲは、ＮＢＳの通信エリアＡＲｎの外側でＮＢＳの受信電界レベルは低い状態になっている。
【００２９】
ところで、図２のようにＮＢＳの受信電界レベルが高い場合は、図３のようにＮＢＳの受信電界レベルが低い場合よりもハンドオーバーが必要になる可能性が高いため、セルサーチの周期を短くしてセルサーチを頻繁に行う必要がある。
【００３０】
しかしながら、例えば，ＳＢＳの受信電界レベルに応じてセルサーチ周期を制御する手法では、図２の場合と図３の場合でＳＢＳの受信電界レベルが同じであるため、セルサーチ周期は同一になる。
【００３１】
そのため、必要以上にセルサーチが行われることにより通信速度が低下すると共に消費電力が増大し、或いは、必要なタイミングでセルサーチが行われないことにより通信のロスが発生して通信速度が低下するといった問題がある。
【００３２】
以下、セルサーチ周期決定方法、無線通信装置及び無線通信システムの実施例を詳述するが、その前に、第１〜第６実施例のセルサーチ周期決定方法の概略を説明する。
【００３３】
第１実施例のセルサーチ周期決定方法は、動的に周期を変更しながら周期的にセルサーチを行う端末において、通信中基地局（ＳＢＳ）と隣接基地局（ＮＢＳ）の各基地局のＣＩＮＲ及び前回測定時からのＣＩＮＲ変化量を元にセルサーチ周期を決定する。
【００３４】
第２実施例のセルサーチ周期決定方法は、上記セルサーチ周期の決定の際に、移動速度に応じてＣＩＮＲの評価方法を変更する。第３実施例のセルサーチ周期決定方法は、上記セルサーチ周期の決定の際に、移動速度に応じてＣＩＮＲ変化量の評価方法を変更する。第４実施例のセルサーチ周期決定方法は、上記セルサーチ周期の決定の際に、位置情報に応じてＣＩＮＲの評価方法を変更する。
【００３５】
第５実施例のセルサーチ周期決定方法は、上記セルサーチ周期の決定の際に、位置情報に応じてＣＩＮＲ変化量の評価方法を変更する。第６実施例のセルサーチ周期決定方法は、上記セルサーチ周期の決定の際に、前回測定時からの経過時間に応じてＣＩＮＲ変化量の評価方法を変更する。
【００３６】
以下、上述した第１〜第６実施例のセルサーチ周期決定方法及び無線通信装置（端末）を、添付図面を参照して詳述する。
【００３７】
図４は、第１実施例のセルサーチ周期決定方法におけるセルサーチ（スキャン）周期決定処理の一例を説明するためのフローチャートであり、図５は、第１実施例のセルサーチ周期決定方法が適用される無線通信装置（端末ＴＲ）の一例を示すブロック図である。
【００３８】
図５において、参照符号１はＲＦアンテナ，２は無線受信部，３はデータ送受信部，４は無線送信部，５は同期制御部，及び，６はＲＳＳＩ／ＣＩＮＲ測定部を示す。また、参照符号７はＢＳ情報テーブル，８はセルサーチ周期決定部，９は接続管理部，及び，１０はセルサーチ周期決定テーブルを示す。
【００３９】
図４に示されるように、セルサーチ周期決定処理が開始すると、ステップＳ４０１において、セルサーチ周期決定部８によりセルサーチ周期の初期値を決定し、ステップＳ４０２に進む。
【００４０】
ステップＳ４０２では、ＲＳＳＩ／ＣＩＮＲ測定部６によりＳＢＳ（通信中基地局）のＲＳＳＩ（受信信号強度）／ＣＩＮＲ（受信信号品質）を測定し、ＢＳ情報テーブル７に記憶する。さらに、ステップップＳ４０３に進んで、セルサーチ周期が到達したかどうかを判定する。
【００４１】
ステップＳ４０３において、セルサーチ周期が到達したと判定すると、ステップＳ４０４に進んで、接続管理部９が同期制御部５に対して同期の切り替え指示を出力し、さらに、ステップＳ４０５に進む。なお、ステップＳ４０３において、セルサーチ周期が到達していないと判定すると、ステップＳ４０２に戻り、セルサーチ周期が到達したと判定するまで同様の処理を繰り返す。
【００４２】
ステップＳ４０５では、ＲＳＳＩ／ＣＩＮＲ測定部６によりＮＢＳ（隣接基地局）のＲＳＳＩ／ＣＩＮＲを測定し、ＢＳ情報テーブル７に記憶する。さらに、ステップＳ４０６に進んで、セルサーチ周期決定部８により、ＢＳ情報テーブル７から各ＢＳの最新のＣＩＮＲ値と前回測定時のＣＩＮＲ値を取得してＣＩＮＲ変化量を計算する。
【００４３】
そして、ステップＳ４０７に進んで、セルサーチ周期決定部８により、各ＢＳのＣＩＮＲ値及びＣＩＮＲ変化量を元にセルサーチ周期決定テーブル１０を参照して、セルサーチ周期を決定する。なお、ステップＳ４０７において、セルサーチ周期を決定すると、ステップＳ４０２に戻り、同様の処理を繰り返す。
【００４４】
図５に示す端末ＴＲにおいて、ＲＦアンテナ１は、例えば、ＷｉＭＡＸ等の規格に従った周波数により基地局との間で無線通信を行うためのアンテナである。また、データ送受信部３は、ＲＦアンテナ１及び無線受信部２を介して基地局から受け取った受信データ、並びに、無線送信部４及びＲＦアンテナ１を介して出力する送信データの処理を行う。
【００４５】
ここで、図５に示す第１実施例の端末ＴＲにおいて、ＲＳＳＩ／ＣＩＮＲ測定部６により測定した各ＢＳ（ＳＢＳ，ＮＢＳ）のＲＳＳＩ／ＣＩＮＲ値は、ＢＳ情報テーブル７に複数回分記憶される。
【００４６】
また、各ＢＳの最新のＣＩＮＲ値及び前回測定時のＣＩＮＲ値は、セルサーチ周期決定部８によりＢＳ情報テーブル７から取得され、前回測定時からのＣＩＮＲ変化量が計算される。
【００４７】
さらに、セルサーチ周期決定部８は、各ＢＳの最新のＣＩＮＲ値及びＣＩＮＲ変化量を元にセルサーチ周期決定テーブル１０を参照して、セルサーチ周期を決定する。なお、セルサーチ周期決定部８は、セルサーチ周期決定テーブル１０を参照することなく、ＣＩＮＲ値及びＣＩＮＲ変化量を元にセルサーチ周期を決定することも可能である。
【００４８】
図６は、第１実施例のセルサーチ周期決定方法におけるセルサーチ周期決定テーブルの一例を説明するための図である。図７は、第１実施例のセルサーチ周期決定方法におけるセルサーチ周期決定部の処理の一例を説明するためのフローチャートであり、図４におけるステップＳ４０７の詳細を説明するためのものである。
【００４９】
図６に示すセルサーチ周期決定テーブル（１０）は、ＳＢＳ及びＮＢＳに対するＣＩＮＲ値、ＣＩＮＲ値の大小関係，並びに，ＣＩＮＲの変化量（ＣＩＮＲ変化量）大小関係をキーとして、セルサーチ周期を決定する。
【００５０】
すなわち、ＳＢＳ及びＮＢＳに対する『高』，『中』，『低』の３段階に分類されたＣＩＮＲ値，ＳＢＳとＮＢＳの間におけるＣＩＮＲ値及びＣＩＮＲ変化量の大小関係に従って、例えば、『１』〜『９』の９段階のセルサーチ周期が決定される。
【００５１】
ここで、例えば、セルサーチ周期『１』は１secで、セルサーチ周期『９』は９secというように決定する。なお、セルサーチ周期の段階『１』〜『９』に対する実際のセルサーチ周期時間は、上記の例に限定されず、適切な相対値、或いは、絶対値（具体的な時間）として設定することができる。
【００５２】
すなわち、図７に示されるように、図６のセルサーチ周期決定テーブルに従ったセルサーチ周期決定処理が開始すると、ステップＳ７０１において、ＳＢＳのＣＩＮＲ値について、閾値を用いて大中小（『高』，『中』，『低』）を判定する。
【００５３】
さらに、ステップＳ７０２に進んで、ＮＢＳのＣＩＮＲ値について、閾値を用いて大中小（『高』，『中』，『低』）を判定して、ステップＳ７０３に進む。ステップＳ７０３では、ＳＢＳのＣＩＮＲ値とＮＢＳのＣＩＮＲ値の大小関係を判定して、ステップＳ７０４に進む。
【００５４】
ステップＳ７０４では、ＳＢＳのＣＩＮＲ変化量とＮＢＳのＣＩＮＲ変化量の大小関係を判定して、ステップＳ７０５に進む。ステップＳ７０５では、ステップＳ７０１〜Ｓ７０４で得られた結果を元にセルサーチ周期決定テーブル（図６）を参照してセルサーチ周期を決定し、セルサーチ周期決定処理を終了する。
【００５５】
具体的に、例えば、ＳＢＳのＣＩＮＲ値が『高』，ＮＢＳのＣＩＮＲ値が『低』、ＣＩＮＲ値の大小関係がＳＢＳ≧ＮＢＳ、そして、ＣＩＮＲ変化量の大小関係がＳＢＳ≧ＮＢＳのとき、セルサーチ周期は『９』として決定される。
【００５６】
また、例えば、ＳＢＳ及びＮＢＳのＣＩＮＲ値が両方とも『中』、ＣＩＮＲ値の大小関係がＳＢＳ≧ＮＢＳ、そして、ＣＩＮＲ変化量の大小関係がＳＢＳ＜ＮＢＳのとき、セルサーチ周期は『５』として決定される。
【００５７】
さらに、例えば、ＳＢＳのＣＩＮＲ値が『低』，ＮＢＳのＣＩＮＲ値が『高』、ＣＩＮＲ値の大小関係がＳＢＳ＜ＮＢＳ、そして、ＣＩＮＲ変化量の大小関係がＳＢＳ＜ＮＢＳのとき、セルサーチ周期は『１』として決定される。
【００５８】
上述した例では、ＳＢＳ及びＮＢＳのＣＩＮＲ値は、所定の閾値により『高』，『中』，『低』の３段階に分類されているが、３段階より少なく（すなわち、２段階）或いは３段階より多く（例えば、４段階や８段階等）に分類することもできる。
【００５９】
また、ＣＩＮＲ変化量については、各ＢＳ（ＳＢＳとＮＢＳ）の大小関係をセルサーチ周期決定テーブルのキーとしているが、ＣＩＮＲ値と同様に、ＣＩＮＲ変化量自体に閾値を設けて複数の段階に分けてセルサーチ周期決定テーブルを構成してもよい。
【００６０】
図８は、第２及び第３実施例のセルサーチ周期決定方法におけるセルサーチ処理の一例を説明するためのフローチャートであり、図９は、第２及び第３実施例のセルサーチ周期決定方法が適用される端末の一例を示すブロック図である。
【００６１】
ここで、図８と前述した図４との比較から明らかなように、図８におけるステップＳ８０１〜Ｓ８０６の処理は、図４におけるステップＳ４０１〜Ｓ４０６の処理と同様であり、その説明は省略する。
【００６２】
本第２及び第３実施例のセルサーチ周期決定方法では、ステップＳ８０７において、セルサーチ周期決定部８により、各ＢＳのＣＩＮＲ値，ＣＩＮＲ変化量及び移動速度情報を元にセルサーチ周期決定テーブル１０を参照して、セルサーチ周期を決定する。
【００６３】
すなわち、ステップＳ８０７では、前述したステップＳ４０７における各ＢＳのＣＩＮＲ値及びＣＩＮＲ変化量に加えて、各ＢＳの移動速度情報を元にセルサーチ周期決定テーブル１０を参照して、セルサーチ周期の決定を行う。
【００６４】
ここで、第２実施例のセルサーチ周期決定方法では、移動速度に応じてＣＩＮＲの評価方法を変更し、また、第３実施例のセルサーチ周期決定方法では、移動速度に応じてＣＩＮＲ変化量の評価方法を変更する。
【００６５】
なお、第２及び第３実施例のセルサーチ周期決定方法が適用される端末ＴＲは、図９と前述した図５との比較から明らかなように、図５に示す第１実施例のＴＲに対して、移動速度計測部１１が追加されている。そして、セルサーチ周期決定部８により、各ＢＳの移動速度情報も含めてセルサーチ周期決定テーブル１０が参照され、セルサーチ周期が決定される。
【００６６】
ここで、移動速度計測部１１としては、知られている様々なものを適用することができるが、例えば、ＧＰＳ（Global Positioning System）を利用した移動速度計測装置を適用することができる。
【００６７】
図１０は、第２及び第４実施例のセルサーチ周期決定方法におけるセルサーチ周期決定テーブルの一例を説明するための図である。図１０と前述した図６との比較から明らかなように、図１０に示すセルサーチ周期決定テーブルでは、ＳＢＳとＮＢＳのＣＩＮＲ値の大小関係の比較を、ＮＢＳのＣＩＮＲ値として『ＮＢＳ＋α』を使用している。
【００６８】
すなわち、本第２及び第４実施例のセルサーチ周期決定方法では、ＮＢＳのＣＩＮＲ値として、移動速度に応じた係数αを加算した値（ＮＢＳ＋α）を使用し、ＳＢＳのＣＩＮＲ値との大小関係を判定する。
【００６９】
そして、第１実施例と同様に、ＣＩＮＲ値の分類結果、ＣＩＮＲ値及びＣＩＮＲ変化量の大小関係をキーにして、セルサーチ周期決定テーブルを参照してセルサーチ周期を決定する。
【００７０】
図１１は、第２実施例のセルサーチ周期決定方法におけるセルサーチ周期決定部の処理の一例を説明するためのフローチャートであり、図８におけるステップＳ８０７の詳細を説明するためのものである。
【００７１】
図１１に示されるように、図１０のセルサーチ周期決定テーブルに従ったセルサーチ周期決定処理が開始すると、ステップＳ１１０１において、ＳＢＳのＣＩＮＲ値について、閾値を用いて大中小（『高』，『中』，『低』）を判定する。
【００７２】
さらに、ステップＳ１１０２に進んで、ＮＢＳのＣＩＮＲ値について、閾値を用いて大中小（『高』，『中』，『低』）を判定して、ステップＳ１１０３に進む。ステップＳ１１０３では、移動速度計測部１１から移動速度を取得して係数α値を決定して、ステップＳ１１０４に進む。
【００７３】
ステップＳ１１０４では、ＳＢＳのＣＩＮＲ値とＮＢＳのＣＩＮＲ値＋α（ＮＢＳ＋α）の大小関係を判定して、ステップＳ１１０５に進む。ステップＳ１１０５では、ＳＢＳのＣＩＮＲ変化量とＮＢＳのＣＩＮＲ変化量の大小関係を判定して、ステップＳ１１０６に進む。
【００７４】
ステップＳ１１０６では、ステップＳ１１０１〜Ｓ１１０５で得られた結果を元にセルサーチ周期決定テーブル（図１０）を参照してセルサーチ周期を決定し、セルサーチ周期決定処理を終了する。
【００７５】
このように、本第２実施例のセルサーチ周期決定方法では、各ＢＳのＣＩＮＲ値の大小関係の判定の際に、ＮＢＳのＣＩＮＲ値に移動速度に応じた係数αを加算した値とＳＢＳのＣＩＮＲ値の大小関係を判定する。
【００７６】
図１２は、第３，第５及び第６実施例のセルサーチ周期決定方法におけるセルサーチ周期決定テーブルの一例を説明するための図である。図１２と前述した図６との比較から明らかなように、図１２に示すセルサーチ周期決定テーブルでは、ＳＢＳとＮＢＳのＣＩＮＲ変化量の大小関係の比較を、ＮＢＳのＣＩＮＲ変化量として『ＮＢＳ＋β』を使用している。
【００７７】
すなわち、本第３，第５及び第６実施例のセルサーチ周期決定方法では、ＮＢＳのＣＩＮＲ変化量として、移動速度に応じた係数βを加算した値（ＮＢＳ＋β）を使用し、ＳＢＳのＣＩＮＲ変化量との大小関係を判定する。
【００７８】
そして、第１実施例と同様に、ＣＩＮＲ値の分類結果、ＣＩＮＲ値及びＣＩＮＲ変化量の大小関係をキーにして、セルサーチ周期決定テーブルを参照してセルサーチ周期を決定する。
【００７９】
図１３は、第３実施例のセルサーチ周期決定方法におけるセルサーチ周期決定部の処理の一例を説明するためのフローチャートであり、図８におけるステップＳ８０７の詳細を説明するためのものである。
【００８０】
図１３に示されるように、図１２のセルサーチ周期決定テーブルに従ったセルサーチ周期決定処理が開始すると、ステップＳ１３０１において、ＳＢＳのＣＩＮＲ値について、閾値を用いて大中小（『高』，『中』，『低』）を判定する。
【００８１】
さらに、ステップＳ１３０２に進んで、ＮＢＳのＣＩＮＲ値について、閾値を用いて大中小（『高』，『中』，『低』）を判定して、ステップＳ１３０３に進む。ステップＳ１３０３では、移動速度計測部１１から移動速度を取得して係数β値を決定して、ステップＳ１３０４に進む。
【００８２】
ステップＳ１３０４では、ＳＢＳのＣＩＮＲ値とＮＢＳのＣＩＮＲ値の大小関係を判定して、ステップＳ１３０５に進む。ステップＳ１３０５では、ＳＢＳのＣＩＮＲ変化量とＮＢＳのＣＩＮＲ変化量＋β（ＮＢＳ＋β）の大小関係を判定して、ステップＳ１３０６に進む。
【００８３】
ステップＳ１３０６では、ステップＳ１３０１〜Ｓ１３０５で得られた結果を元にセルサーチ周期決定テーブル（図１２）を参照してセルサーチ周期を決定し、セルサーチ周期決定処理を終了する。
【００８４】
このように、本第３実施例のセルサーチ周期決定方法では、各ＢＳのＣＩＮＲ変化量の大小関係の判定の際に、ＮＢＳのＣＩＮＲ変化量に移動速度に応じた係数βを加算した値とＳＢＳのＣＩＮＲ変化量の大小関係を判定する。
【００８５】
図１４は、第４及び第５実施例のセルサーチ周期決定方法におけるセルサーチ周期決定処理の一例を説明するためのフローチャートであり、図１５は、第４及び第５実施例のセルサーチ周期決定方法が適用される端末の一例を示すブロック図である。
【００８６】
ここで、図１４と前述した図４との比較から明らかなように、図１４におけるステップＳ１４０１〜Ｓ１４０６の処理は、図４におけるステップＳ４０１〜Ｓ４０６の処理と同様であり、その説明は省略する。
【００８７】
本第４及び第５実施例のセルサーチ周期決定方法では、ステップＳ１４０７において、セルサーチ周期決定部８により、各ＢＳのＣＩＮＲ値，ＣＩＮＲ変化量及び位置情報を元にセルサーチ周期決定テーブル１０を参照して、セルサーチ周期を決定する。
【００８８】
すなわち、ステップＳ１４０７では、前述したステップＳ４０７における各ＢＳのＣＩＮＲ値及びＣＩＮＲ変化量に加えて、各ＢＳの位置情報を元にセルサーチ周期決定テーブル１０を参照してセルサーチ周期の決定を行う。
【００８９】
ここで、第４実施例のセルサーチ周期決定方法では、位置情報に応じてＣＩＮＲの評価方法を変更し、また、第５実施例のセルサーチ周期決定方法では、位置情報に応じてＣＩＮＲ変化量の評価方法を変更する。
【００９０】
なお、第４及び第５実施例のセルサーチ周期決定方法が適用される端末ＴＲは、図１５と前述した図５との比較から明らかなように、図５に示す第１実施例のＴＲに対して、位置情報計測部１２が追加されている。そして、セルサーチ周期決定部８により、各ＢＳの位置情報も含めてセルサーチ周期決定テーブル１０が参照され、セルサーチ周期が決定される。
【００９１】
ここで、位置情報計測部１２としては、知られている様々なものを適用することができるが、例えば、ＧＰＳを利用した位置情報計測装置を適用することができる。
【００９２】
図１６〜図１８は、第４〜第６実施例のセルサーチ周期決定方法におけるセルサーチ周期決定部の処理の一例を説明するためのフローチャートであり、それぞれ図１４におけるステップＳ１４０７の詳細を説明するためのものである。
【００９３】
なお、図１６〜図１８において、ステップＳ１６０１，Ｓ１７０１，Ｓ１８０１、及び、ステップＳ１６０２，Ｓ１７０２，Ｓ１８０２は、例えば、図７におけるステップＳ７０１及びＳ７０２と同様であり、その説明は省略する。
【００９４】
図１６に示されるように、第４実施例のセルサーチ周期決定方法は、ステップＳ１６０３において、位置情報計測部１２から位置情報を取得して係数α値を決定して、ステップＳ１６０４に進む。ステップＳ１６０４では、ＳＢＳのＣＩＮＲ値とＮＢＳのＣＩＮＲ値＋α（ＮＢＳ＋α）の大小関係を判定して、ステップＳ１６０５に進む。
【００９５】
ステップＳ１６０５では、ＳＢＳのＣＩＮＲ変化量とＮＢＳのＣＩＮＲ変化量の大小関係を判定して、ステップＳ１６０６に進む。ステップＳ１６０６では、ステップＳ１６０１〜Ｓ１６０５で得られた結果を元にセルサーチ周期決定テーブル（図１０）を参照してセルサーチ周期を決定し、セルサーチ周期決定処理を終了する。
【００９６】
このように、本第４実施例のセルサーチ周期決定方法では、各ＢＳのＣＩＮＲ値の大小関係の判定の際に、ＮＢＳのＣＩＮＲ値に位置情報に応じた係数αを加算した値とＳＢＳのＣＩＮＲ値の大小関係を判定する。
【００９７】
図１７に示されるように、第５実施例のセルサーチ周期決定方法は、ステップＳ１７０３において、位置情報計測部１２から位置情報を取得して係数β値を決定して、ステップＳ１７０４に進む。ステップＳ１７０４では、ＳＢＳのＣＩＮＲ値とＮＢＳのＣＩＮＲ値の大小関係を判定して、ステップＳ１７０５に進む。
【００９８】
ステップＳ１７０５では、ＳＢＳのＣＩＮＲ変化量とＮＢＳのＣＩＮＲ変化量＋β（ＮＢＳ＋β）の大小関係を判定して、ステップＳ１７０６に進む。ステップＳ１７０６では、ステップＳ１７０１〜Ｓ１７０５で得られた結果を元にセルサーチ周期決定テーブル（図１２）を参照してセルサーチ周期を決定し、セルサーチ周期決定処理を終了する。
【００９９】
このように、本第５実施例のセルサーチ周期決定方法では、各ＢＳのＣＩＮＲ変化量の大小関係の判定の際に、ＮＢＳのＣＩＮＲ変化量に位置情報に応じた係数βを加算した値とＳＢＳのＣＩＮＲ変化量の大小関係を判定する。
【０１００】
図１８に示されるように、第６実施例のセルサーチ周期決定方法は、ステップＳ１８０３において、前回計測時からの経過時間を計算し、その経過時間を元に係数β値を決定して、ステップＳ１８０４に進む。ステップＳ１８０４では、ＳＢＳのＣＩＮＲ値とＮＢＳのＣＩＮＲ値の大小関係を判定して、ステップＳ１８０５に進む。
【０１０１】
ステップＳ１８０５では、ＳＢＳのＣＩＮＲ変化量とＮＢＳのＣＩＮＲ変化量＋β（ＮＢＳ＋β）の大小関係を判定して、ステップＳ１８０６に進む。ステップＳ１８０６では、ステップＳ１８０１〜Ｓ１８０５で得られた結果を元にセルサーチ周期決定テーブル（図１２）を参照してセルサーチ周期を決定し、セルサーチ周期決定処理を終了する。
【０１０２】
このように、本第６実施例のセルサーチ周期決定方法では、各ＢＳのＣＩＮＲ変化量の大小関係の判定の際に、ＮＢＳのＣＩＮＲ変化量に前回測定時からの経過時間に応じた係数βを加算した値とＳＢＳのＣＩＮＲ変化量の大小関係を判定する。
【０１０３】
図１９は、ＳＢＳのＣＩＮＲが高い場合を示す図であり、図２０は、ＳＢＳのＣＩＮＲが低い場合を示す図である。
【０１０４】
図１９に示されるように、端末ＴＲが通信中基地局(SBS)の近くで隣接基地局(NBS)から遠いとき、例えば、ＴＲがＳＢＳの通信エリアＡＲｓの中央付近でＮＢＳの通信エリアＡＲｎの外側のとき、ＳＢＳのＣＩＮＲ値は高く、ＮＢＳのＣＩＮＲ値は低くなる。この場合、早急なハンドオーバーの必要が無いため、セルサーチ周期は長時間（例えば、周期が『７』〜『９』）に設定される。
【０１０５】
図２０に示されるように、ＴＲがＳＢＳから遠くでＮＢＳから遠いとき、例えば、ＴＲがＳＢＳの通信エリアＡＲｓのエッジ近くでＮＢＳの通信エリアＡＲｎの内側のとき、ＳＢＳ及びＮＢＳのＣＩＮＲ値は低くなる。この場合、早急なハンドオーバーの必要となるため、セルサーチ周期は短時間（例えば、周期が『１』〜『３』）に設定される。
【０１０６】
図２１は、ＳＢＳのＣＩＮＲ変化量が大きい場合を示す図であり、図２２は、ＳＢＳのＣＩＮＲ変化量が小さい場合を示す図である。
【０１０７】
図２１に示されるように、ＴＲがＳＢＳに対して放射状に移動するとき、例えば、ＴＲがＳＢＳの通信エリアＡＲｓのエッジからＳＢＳに向かって移動するとき、ＳＢＳのＣＩＮＲ変化量は大きくなる。図２１の場合、ＴＲがＳＢＳに向かって移動するため、ＳＢＳのＣＩＮＲ値は大きくなり、早急なハンドオーバーの必要が無いためセルサーチ周期は長時間に設定される。
【０１０８】
図２２に示されるように、ＴＲがＳＢＳからほぼ同心円状に遠くへ移動するとき、ＳＢＳのＣＩＮＲ変化量は小さいが、ＴＲがＳＢＳから離れているため早急なハンドオーバーが必要となる可能性が高く、セルサーチ周期は短時間に設定される。
【０１０９】
すなわち、図６に示す第１実施例のセルサーチ周期決定方法に適用されるセルサーチ周期決定テーブルのように、ＳＢＳのＣＩＮＲ値が高いほど、セルサーチ周期は長く設定され、ＮＢＳのＣＩＮＲ値が高いほど、セルサーチ周期は短く設定される。
【０１１０】
さらに、ＳＢＳのＣＩＮＲ値がＮＢＳのＣＩＮＲ値よりも高いほど、セルサーチ周期は長く設定され、ＳＢＳのＣＩＮＲ変化量がＮＢＳのＣＩＮＲ変化量よりも高いほど、セルサーチ周期は長く設定される。
【０１１１】
このように、例えば、図６に示すセルサーチ周期決定テーブルに従ってセルサーチ周期を決定することにより、早急なハンドオーバーが必要な状況では、セルサーチ周期を短く（セルサーチの頻度を高く）することができる。この結果、例えば、ＣＩＮＲ値の高い周辺基地局（ＮＢＳ）を早期に検出して、円滑にハンドオーバーを行うことができ、通信速度の低下を防ぐことができる。
【０１１２】
また、早急なハンドオーバーが必要でない状況では、セルサーチの周期を長く（セルサーチの頻度を低く）することにより、全体としてのセルサーチの回数を削減し、通信速度の低下と共に、消費電力を低減することが可能になる。
【０１１３】
図２３は、端末の移動速度が速い場合を示す図であり、図２４は、端末の移動速度が遅い場合を示す図である。図２３及び図２４を参照して、前述した第２及び第３実施例のセルサーチ周期決定方法をより詳しく説明する。
【０１１４】
まず、第２実施例のセルサーチ周期決定方法においては、図１０に示すセルサーチ周期決定テーブルの係数αを移動速度に応じて変化させる。
【０１１５】
すなわち、図２３に示されるように、一般的に、現在のＴＲの移動速度が速いほど、単位時間あたりのＴＲの移動距離が長くなるため、早急なハンドオーバーが必要になる可能性が高くなる。
【０１１６】
そのため、現在のＴＲの移動速度が速い場合は、図１０のセルサーチ周期決定テーブルにおける係数αの値を小さくしてセルサーチの頻度を高く（セルサーチ周期を短く）することで、早急なハンドオーバーが必要な状況に対応することができる。
【０１１７】
逆に、図２４に示されるように、現在のＴＲの移動速度が遅いほど、単位時間あたりのＴＲの移動距離が短くなるため、早急なハンドオーバーが必要になる可能性は低くなる。
【０１１８】
そのため、現在のＴＲの移動速度が遅い場合は、図１０のセルサーチ周期決定テーブルにおける係数αの値を大きくして、セルサーチの頻度を低く（セルサーチ周期を長く）することで、通信速度の低下を防ぐと共に消費電力を低減することができる。
【０１１９】
次に、第３実施例のセルサーチ周期決定方法においては、図１２に示すセルサーチ周期決定テーブルの係数βを移動速度に応じて変化させる。
【０１２０】
すなわち、上述した図２３に示されるように、一般的に、現在のＴＲの移動速度が速いほど、単位時間あたりのＴＲの移動距離が長くなるため、早急なハンドオーバーが必要になる可能性が高くなる。
【０１２１】
そのため、現在のＴＲの移動速度が速い場合は、図１２のセルサーチ周期決定テーブルにおける係数βの値を小さくしてセルサーチの頻度を高くすることで、早急なハンドオーバーが必要な状況に対応することができる。
【０１２２】
逆に、上述した図２４に示されるように、現在のＴＲの移動速度が遅いほど、単位時間あたりのＴＲの移動距離が短くなるため、早急なハンドオーバーが必要になる可能性は低くなる。
【０１２３】
そのため、現在のＴＲの移動速度が遅い場合は、図１２のセルサーチ周期決定テーブルにおける係数βの値を大きくして、セルサーチの頻度を低くすることで、通信速度の低下を防ぐと共に消費電力を低減することができる。
【０１２４】
図２５は、端末の現在位置がセルエッジに近い場合を示す図であり、図２６は、端末の現在位置が基地局に近い場合を示す図である。図２５及び図２６を参照して、前述した第４及び第５実施例のセルサーチ周期決定方法をより詳しく説明する。
【０１２５】
まず、第４実施例のセルサーチ周期決定方法においては、図１０に示すセルサーチ周期決定テーブルの係数αを位置情報に応じて変化させる。
【０１２６】
すなわち、図２５に示されるように、一般的に、現在のＴＲの位置がＳＢＳの通信範囲のエッジ（セルエッジ）に近いほど、早急なハンドオーバーが必要になる可能性が高くなる。
【０１２７】
そのため、現在のＴＲの位置がセルエッジに近い場合は、図１０のセルサーチ周期決定テーブルにおける係数αの値を小さくしてセルサーチの頻度を高くすることで、早急なハンドオーバーが必要な状況に対応することができる。
【０１２８】
逆に、図２６に示されるように、現在のＴＲの位置がＳＢＳに近い場合は、図１０のセルサーチ周期決定テーブルにおける係数αの値を大きくして、セルサーチの頻度を低くすることで、通信速度の低下を防ぐと共に消費電力を低減することができる。
【０１２９】
次に、第５実施例のセルサーチ周期決定方法においては、図１２に示すセルサーチ周期決定テーブルの係数βを位置情報に応じて変化させる。
【０１３０】
すなわち、上述した図２５に示されるように、一般的に、現在のＴＲの位置がＳＢＳのセルエッジに近いほど、早急なハンドオーバーが必要になる可能性が高くなる。
【０１３１】
そのため、現在のＴＲの位置がＳＢＳのセルエッジに近い場合は、図１２のセルサーチ周期決定テーブルにおける係数βの値を小さくしてセルサーチの頻度を高くすることで、早急なハンドオーバーが必要な状況に対応することができる。
【０１３２】
逆に、上述した図２６に示されるように、現在のＴＲの位置がＳＢＳに近い場合は、図１２のセルサーチ周期決定テーブルにおける係数βの値を大きくしてセルサーチの頻度を低くすることで、通信速度の低下を防ぐと共に消費電力を低減することができる。
【０１３３】
図２７は、前回測定時からの経過時間が長い場合を示す図であり、図２８は、前回測定時からの経過時間が短い場合を示す図である。図２７及び図２８を参照して、前述した第６実施例のセルサーチ周期決定方法をより詳しく説明する。
【０１３４】
ここで、図２７及び図２８は、前述した図２３及び図２４と類似しているが、図２３及び図２４では、ＴＲの移動速度が異なるのに対して、図２７及び図２８では、ＴＲの移動速度は等しく、経過時間が異なっている。
【０１３５】
第６実施例のセルサーチ周期決定方法においては、図１２に示すセルサーチ周期決定テーブルの係数βを前回測定時からの経過時間に応じて変化させる。
【０１３６】
図２７に示されるように、一般的に、前回測定時からの経過時間が長いほど、短期的なＣＩＮＲ変化量を把握することができないため、早急なハンドオーバーが必要になるか否かを判断することが難しい。
【０１３７】
そのため、前回測定時からの経過時間が長い場合は、図１２のセルサーチ周期決定テーブルにおける係数βの値を小さくしてセルサーチの頻度を高く（次のセルサーチまでの時間を短く）することで、早急なハンドオーバーが必要な状況に対応することができる。
【０１３８】
逆に、図２８に示されるように、前回測定時からの経過時間が短いほど、短期的なＣＩＮＲ変化量を把握することができているため、早急なハンドオーバーが必要になるか否かを判断することは比較的容易である。
【０１３９】
そのため、前回測定時からの経過時間が短い場合は、図１２のセルサーチ周期決定テーブルにおける係数βの値を大きくしてセルサーチの頻度を低く（次のセルサーチまでの時間を長く）することで、通信速度の低下を防ぐと共に消費電力を低減することができる。
【０１４０】
以上の実施例を含む実施形態に関し、さらに、以下の付記を開示する。
（付記１）
無線通信装置が通信を行っている通信中基地局、及び、前記通信中基地局に隣接する隣接基地局それぞれの信号対干渉雑音比を測定し、
前記通信中基地局及び前記隣接基地局それぞれの、前回測定した前記信号対干渉雑音比からの変化量を算出し、
前記通信中基地局における信号対干渉雑音比の変化量と前記隣接基地局における信号対干渉雑音比の変化量の大小関係に基づいて、セルサーチを行うセルサーチ周期を決定する、
ことを特徴とするセルサーチ周期決定方法。
【０１４１】
（付記２）
前記通信中基地局における信号対干渉雑音比の変化量と前記隣接基地局における信号対干渉雑音比の変化量の大小関係に基づく条件を、前記無線通信装置の移動速度に応じて変化させる、
ことを特徴とする付記１に記載のセルサーチ周期決定方法。
【０１４２】
（付記３）
前記通信中基地局における信号対干渉雑音比の変化量と前記隣接基地局における信号対干渉雑音比の変化量の大小関係に基づく条件を、前記無線通信装置の位置情報に応じて変化させる、
ことを特徴とする付記１に記載のセルサーチ周期決定方法。
【０１４３】
（付記４）
前記通信中基地局における信号対干渉雑音比の変化量と前記隣接基地局における信号対干渉雑音比の変化量の大小関係に基づく条件を、前回測定時からの経過時間に応じて変化させる、
ことを特徴とする付記１に記載のセルサーチ周期決定方法。
【０１４４】
（付記５）
前記セルサーチ周期の決定を、
前記通信中基地局の信号対干渉雑音比及び前記隣接基地局の信号対干渉雑音比を、所定の閾値によりそれぞれ複数段階に分類して組み合わせた条件、並びに、
前記通信中基地局の信号対干渉雑音比と前記隣接基地局の信号対干渉雑音比の大小関係に基づく条件、を加えて行う、
ことを特徴とする付記１に記載のセルサーチ周期決定方法。
【０１４５】
（付記６）
前記通信中基地局の信号対干渉雑音比と前記隣接基地局の信号対干渉雑音比の大小関係に基づく条件を、前記無線通信装置の移動速度に応じて変化させる、
ことを特徴とする付記５に記載のセルサーチ周期決定方法。
【０１４６】
（付記７）
前記通信中基地局の信号対干渉雑音比と前記隣接基地局の信号対干渉雑音比の大小関係に基づく条件を、前記無線通信装置の位置情報に応じて変化させる、
ことを特徴とする付記５に記載のセルサーチ周期決定方法。
【０１４７】
（付記８）
基地局と無線通信を行う無線通信装置において、
通信を行っている通信中基地局、及び、前記通信中基地局に隣接する隣接基地局それぞれの信号対干渉雑音比を測定する測定部と、
前記通信中基地局及び前記隣接基地局それぞれの、前回測定した前記信号対干渉雑音比からの変化量を算出し、前記算出した前記通信中基地局における信号対干渉雑音比の変化量と前記隣接基地局における信号対干渉雑音比の変化量の大小関係に基づいてセルサーチを行うセルサーチ周期を決定するセルサーチ周期決定部と、
を有することを特徴とする無線通信装置。
【０１４８】
（付記９）
前記無線通信装置の移動速度を計測する移動速度計測部を有し、
前記セルサーチ周期決定部は、前記通信中基地局における信号対干渉雑音比の変化量と前記隣接基地局における信号対干渉雑音比の変化量の大小関係に基づく条件を、前記移動速度計測部により計測された前記無線通信装置の移動速度に応じて変化させて、前記セルサーチ周期を決定する、
ことを特徴とする付記８に記載の無線通信装置。
【０１４９】
（付記１０）
前記無線通信装置の位置情報を計測する位置情報計測部を有し、
前記セルサーチ周期決定部は、前記通信中基地局における信号対干渉雑音比の変化量と前記隣接基地局における信号対干渉雑音比の変化量の大小関係に基づく条件を、前記無線通信装置の位置情報に応じて変化させて、前記セルサーチ周期を決定する、
ことを特徴とする付記８に記載の無線通信装置。
【０１５０】
（付記１１）
前記セルサーチ周期決定部は、前記通信中基地局における信号対干渉雑音比の変化量と前記隣接基地局における信号対干渉雑音比の変化量の大小関係に基づく条件を、前回測定時からの経過時間に応じて変化させて、前記セルサーチ周期を決定する、
ことを特徴とする付記８に記載の無線通信装置。
【０１５１】
（付記１２）
前記セルサーチ周期決定部は、
前記通信中基地局の信号対干渉雑音比及び前記隣接基地局の信号対干渉雑音比を、所定の閾値によりそれぞれ複数段階に分類して組み合わせた条件、並びに、
前記通信中基地局の信号対干渉雑音比と前記隣接基地局の信号対干渉雑音比の大小関係に基づく条件、を加えて、前記セルサーチ周期を決定する、
ことを特徴とする付記８に記載の無線通信装置。
【０１５２】
（付記１３）
前記無線通信装置の移動速度を計測する移動速度計測部を有し、
前記セルサーチ周期決定部は、前記通信中基地局の信号対干渉雑音比と前記隣接基地局の信号対干渉雑音比の大小関係に基づく条件を、前記無線通信装置の移動速度に応じて変化させて、前記セルサーチ周期を決定する、
ことを特徴とする付記１２に記載の無線通信装置。
【０１５３】
（付記１４）
前記無線通信装置の位置情報を計測する位置情報計測部を有し、
前記セルサーチ周期決定部は、前記通信中基地局の信号対干渉雑音比と前記隣接基地局の信号対干渉雑音比の大小関係に基づく条件を、前記無線通信装置の位置情報に応じて変化させて、前記セルサーチ周期を決定する、
ことを特徴とする付記１２に記載の無線通信装置。
【０１５４】
（付記１５）
複数の基地局と、複数の無線通信装置を有する無線通信システムにおいて、
前記複数の基地局は、所定の前記無線通信装置が通信を行っている通信中基地局、及び、前記通信中基地局に隣接する隣接基地局を含み、
所定の前記無線通信装置は、付記８乃至付記１４のいずれか１項に記載の無線通信装置である、
ことを特徴とする無線通信システム。
【符号の説明】
【０１５５】
１    ＲＦアンテナ
２    無線受信部
３    データ送受信部
４    無線送信部
５    同期制御部
６    ＲＳＳＩ／ＣＩＮＲ測定部
７    ＢＳ情報テーブル
８    セルサーチ周期決定部
９    接続管理部
１０    セルサーチ周期決定テーブル
１１    移動速度計測部
１２    位置情報計測部
ＮＢＳ    隣接基地局（Neighbor Base Station）
ＳＢＳ    通信中基地局（Serving Base Station）
ＴＲ    無線通信装置（端末）
【図１】
0005712854.tif 000002
【図２】
0005712854.tif 000003
【図３】
0005712854.tif 000004
【図４】
0005712854.tif 000005
【図５】
0005712854.tif 000006
【図６】
0005712854.tif 000007
【図７】
0005712854.tif 000008
【図８】
0005712854.tif 000009
【図９】
0005712854.tif 000010
【図１０】
0005712854.tif 000011
【図１１】
0005712854.tif 000012
【図１２】
0005712854.tif 000013
【図１３】
0005712854.tif 000014
【図１４】
0005712854.tif 000015
【図１５】
0005712854.tif 000016
【図１６】
0005712854.tif 000017
【図１７】
0005712854.tif 000018
【図１８】
0005712854.tif 000019
【図１９】
0005712854.tif 000020
【図２０】
0005712854.tif 000021
【図２１】
0005712854.tif 000022
【図２２】
0005712854.tif 000023
【図２３】
0005712854.tif 000024
【図２４】
0005712854.tif 000025
【図２５】
0005712854.tif 000026
【図２６】
0005712854.tif 000027
【図２７】
0005712854.tif 000028
【図２８】
0005712854.tif 000029